(57)【要約】【課題】解決しようとする課題は、ゴルフのスイングでいろいろ指導されても暫くすると分からなくなり元の黙阿弥になって仕舞う。その一つに切り返しで右肩が前に出て突っ込んだ形にならないこことが求められ、ダウンスイングにおいて腰の向きと両肩（胸）の向きとの間で生ずる捻転差を具現することである。言葉ではなく形のある道具で具現し、スイングの度に自分自身で改善の練習が出来るゴルフスイング捻転差ガイド具を提供することである。【解決手段】本発明はゴルフのダウンスイングにおいて一辺が左右両肩を結ぶ線・ガイド線を成し、他辺がボールの飛行線と平行になる指示線で成り、このガイド線と指示線とが腰の向きと両肩（胸）の向きとの間で生ずる捻転差角で結ばれて成ることを特徴とする請求項１又は２及び３記載のゴルフスイング捻転差ガイド具。【選択図】図１
2010005238.tif 000002
【特許請求の範囲】
【請求項１】
ゴルフのダウンスイングにおいて一辺が左右両肩を結ぶ線・ガイド線を成し、他辺がボールの飛行線と平行になる指示線で成り、このガイド線と指示線とが腰の向きと両肩（胸）の向きとの間で生ずる捻転差角で結ばれて成ることを特徴とするゴルフスイング捻転差ガイド具。
【請求項２】
前記ガイド線及び前記指示線がマット上に表示されていることを特徴とする請求項１記載のゴルフスイング捻転差ガイド具。
【請求項３】
腰の正面に光またはＩＴ信号の発信源を備えた装置１と、胸の中心に光またはＩＴ信号の発信源を備えた装置２とから成り、ダウンスイングで腰の向きと両肩（胸）の向きとの間で捻転差が生じた時に、この両装置からの信号をチャッチし知らせる受信装置３から成ることを特徴とする請求項１又は２記載のゴルフスイング捻転差ガイド具。
【発明の詳細な説明】
【技術分野】
【０００１】
本発明はゴルフスイングの捻転差ガイドに関するものである。
【背景技術】
【０００２】
ゴルフのスイングで「アマチュアの多くはボディターンを上半身と下半身が一緒に回ることだと勘違いしている節があるが、これだと胸が正面を向いてしまう」とプロゴルファーは指摘し、また切り返しで右肩が前に出て突っ込んだ形になるとも指摘される。
【０００３】
ゴルフのスイングにおいて、「腰を切る」、「腰と両肩（胸）との捻転差」など先達のプロゴルファーの言葉が多く与えられているが、アマチュアの多くには、その極意が理解され難い。切り返し・ダウンスイングは下半身リードで行うが、腰が正面を向いても上半身は正面を向かないようにガマンする意識が大切である。
【０００４】
ゴルフプレーヤーは急に当りが悪くなった体験をするが、その原因の一つに、切り返しで右肩が前に出て突っ込んだ形になること、これを自分自身で実状を理解し、何も道具無しで改善することは難しいものである。これを具体的にチェックし自分で修正出来る道具がない。
【非特許文献１】三栄書房・ＧＯＬＦ  ＴＯＤＡＹ・２００８年２月７日「スイング論」重田栄作
【発明の開示】
【発明が解決しようとする課題】
【０００５】
解決しようとする課題は、ゴルフのスイングでいろいろ指導されても暫くすると分からなくなり元の黙阿弥になって仕舞う。その一つに切り返しで右肩が前に出て突っ込んだ形にならないこことが求められ、ダウンスイングにおいて腰の向きと両肩（胸）の向きとの間で生ずる捻転差を具現することである。言葉ではなく形のある道具で具現し、スイングの度に自分自身で改善の練習が出来るスイング捻転差ガイド具を提供することである。
【課題を解決するための手段】
【０００６】
本発明はゴルフのダウンスイングにおいて一辺が左右両肩を結ぶ線・ガイド線を成し、他辺がボールの飛行線と平行になる指示線で成り、このガイド線と指示線とが腰の向きと両肩（胸）の向きとの間で生ずる捻転差角で結ばれて成ることを特徴とする請求項１又は２及び３記載のゴルフスイング捻転差ガイド具。
【発明の効果】
【０００７】
請求項１により、本発明の捻転差ガイド具を既製のゴルフマットの上にゴルフのボールの飛行線と平行に置ける指示部の方向に置いてダウンスイングの練習するが、その時、腰が正面を向きボールの飛行線と平行に戻った時点でも、上半身の左右両肩を結ぶ線が捻転差ガイド具のガイド線Ｇラインと平行になるように意識して我慢すれば、切り返しで右肩が前に出て突っ込んだ形にならないスイングが出来る。即ちダウンスイングでの「腰を切る」、「腰と両肩（胸）との捻転差」など先達プロゴルファーの言葉の具現が出来る。
【０００８】
請求項２により、前記ガイド線及び前記指示線がマット上に表示されている請求項１記載のマットを置いてダウンスイングの練習するが、その時、腰が正面を向きボールの飛行線と平行に戻った時点でも、上半身の左右両肩を結ぶ線が捻転差ガイド具のガイド線・Ｇラインと平行になるように意識して我慢すれば、切り返しで右肩が前に出て突っ込んだ形にならないスイングが出来るのでスイングの度に自分自身で改善が練習が出来る。
【０００９】
請求項３により、腰の正面に発信源を備えた装置１と、胸の中心に発信源を備えた装置２とで成り、ダウンスイングで腰の向きと両肩（胸）の向きとの間に捻転差が生じた時に出る知らせを受信装置３で受け、確認しながらスイングの練習が出来るので、切り返しで右肩が前に出て突っ込んだ形にならないようになる。
【発明を実施するための最良の形態】
【００１０】
以下本発明の実施の形態を示す図面に基づき説明する。
図１は本発明の投影図を示す。
三角形を成し、一辺がダウンスイング時の左右両肩を結ぶ線・ガイド線・Ｇライン（ＡーＢ）と他辺がボールの飛行線と平行の線・Ｈライン（ＡーＣ）とが、捻転差角Ｄで結ばれて構成されたスイング捻転差ガイド具を示す。ＡーＢは大人の肩幅（約４０センチ）とし、Ａ−Ｃは約２２センチと成し、Ｄの角度はおよそ２２度と成した。材質は弾力性のあるプラスチックス製で直径８ミリの棒材を使用した。
【００１１】
図２は本発明の可変結合部付き実施例図を示す。
一辺がダウンスイング時の左右両肩を結ぶ線・ガイド線・Ｇラインと他辺がボールの飛行線と平行の線・Ｈラインとが、可変結合部により結ばれて成り、捻転差角Dの調整はプレーヤーが捻転差角を２２度から１５度に調整して使うことが出来た。材質は０、２ミリ厚のステンレス板を使用した。
【００１２】
図３は本発明の実施例の動作図を示す。
本発明の捻転差ガイド具を既製のゴルフマットの上にゴルフのボールの飛行線と平行に合わせる指示部の方向・Ｈラインに置き、ダウンスイング時に腰の線が戻ってスタンス正面を向きボールの飛行線と平行に戻った時点でも、上半身の左右両肩を結ぶ線が捻転差ガイド具のガイド線・Ｇラインと平行になるように意識して我慢すれば、切り返しで右肩が前に出て突っ込んだ形にならないスイングが出来る。この場合の置き方は捻転差ガイド具の右の先端部が飛行線より５cm以上離れた位置になるようにして安全を確保する。
【００１３】
図４は本発明の実施例の実用図を示す。
捻転差角Dの調整はＰ１部とＰ２部を寄せて固定することより、２２度から小さくすることが出来、プレーヤーに合う捻転差角に微調整（１５度まで）して使えた。
ダウンスイング時に腰の線が戻ってスタンス正面を向きボールの飛行線と平行に戻った時点の両肩を合わせる両肩線・ガイド線・Ｇラインは赤色とし、左肩と右肩の位置は青色の円を描いて示し、本発明の捻転差ガイド具の置き方を示すボールの飛行線・Ｈラインは黒色とし、頭を残す・スエーをしない頭の位置はほぼ中央に赤色として構成した。
【００１４】
図５は本発明の実施例の概念図を示す。
腰の正面に光またはＩＴ信号の発信源を備えた装置１と、胸の中心に光またはＩＴ信号の発信源を備えた装置２とから成り、ダウンスイングで腰の向きと両肩（胸）の向きとの間で捻転差が生じた時に、この両装置からの信号をチャッチし知らせる受信装置３で、ダウンスイングでの捻転差をスピーテイに判定し、スイングの度に自身で改善の練習が出来ることを示す。
【産業上の利用可能性】
【００１５】
本発明はスイングの瞬間に起きている腰を切ればその瞬間には、両方の肩はまだ右を向いたままの状態を意識して我慢するというスイングの極意の一つを本発明はアマチュアが体得出来るように具現したものであり、その効果は大きいと言わなければ成らない。悩みの解決として、右肩が突っ込まない、腰が切れる、左右の両肘が締まる、両腕の逆三角形が崩れない、頭が残るなど体得が出来、身に付く。クラブ軌道も安定し練習に大いに意欲が出てくる。業界の発展にも役立ち、メーカーがゴルファーに販売することが出来る。ボールを真っ直ぐ飛ばす練習効果が期待されるゴルフ練習場の指導用途にも適用できる。
次に本発明のゴルフスイングの捻転差ガイド具の使用状態を説明する。
【実施例１】
【００１６】
およそ三角形を成し、一辺のダウンスイング時の左右両肩を結ぶ線ＡーＢは大人の肩幅（約４０センチ）とし、他辺のボールの飛行線と平行の線ＡーＣは約２２センチとし、捻転差角Ｄはおよそ２２度前後で構成され、材質は弾力性のあるプラスチックス製で直径８ミリの棒材を使用した。
【実施例２】
【００１７】
本発明の捻転差ガイド具の指示線を既製のゴルフマットの上のゴルフのボールの飛行線と平行に合わせて置き、テークバックで左肩を顎の下まで充分に回し、ダウンスイング時に腰の線が戻ってスタンス正面を向きボールの飛行線と平行に戻った時点でも、上半身の左右両肩を結ぶ線が捻転差ガイド具のガイド線・Ｇラインと平行になるように意識して我慢すれば、切り返しで右肩が前に出て突っ込んだ形にならないスイングが出来る。即ち「腰を切る」、「腰と両肩（胸）との捻転差」などの具現が出来る。
【実施例３】
【００１８】
本発明の捻転差ガイド具の捻転差角Ｄの調整はＰ１部とＰ２部を寄せて固定することより、２２度から小さくすることが出来、プレーヤーに合う捻転差角に微調整（１５度まで）して使えた。Ｇラインはスイングの青信号の役目を果たすので、色は赤色、青色・黄色がよくゴルフマットの色と混同しないものがよい。厚みは本発明の捻転差ガイド具の全機能に差し支えなければ平坦なもので薄いものがよい。捻転差ガイド具の大きさはスイングに邪魔にならないおよそ大人の肩幅のものが良い。材料は使用に耐え、軽くて扱い易いもので柔軟性があるほうがよい。プラスチックス、ゴム、金属、毛糸、木、石、布、革、糸の単独又は組み合わせたもので、材質はゴルフマットと馴染むもので風で飛ばない形と重さがあり、しかも落雷を防ぐ材料であることが必須条件である。
【実施例４】
【００１９】
「腰の向きと両肩（胸）との間で生ずる捻転差」を電気信号を利用して自分自身がスイングの度にチェック出来る装置で、腰の正面に光またはＩＴ信号の発信源を備えた装置１と胸の中心に光またはＩＴ信号の発信源を備えた装置２とから成り、ダウンスイングで腰の向きと両肩（胸）の向きとの間で捻転差が生じた時に、この両装置からの信号をチャッチする受信装置３で構成されるゴルフスイング捻転差ガイド具。
【図面の簡単な説明】
【００２０】
【図１】本発明の投影図
【図２】本発明の可変結合部付き実施例図
【図３】本発明の実施例動作図
【図４】本発明の実施例見取り図
【図５】本発明の実施例概念図
【符号の説明】
【００２１】
Ｇライン：上半身の左右両肩を結ぶ線がまだ正面を向かないで居る位置を表すガイド線（Ａ−Ｂ）
Ｈライン：ゴルフのボールの飛行線と平行に合わせることが出来る指示線
（Ａ−Ｃ）
D：捻転差角（腰と両肩（胸）との捻転差角）
【図１】
2010005238.tif 000003
【図２】
2010005238.tif 000004
【図３】
2010005238.tif 000005
【図４】
2010005238.tif 000006
【図５】
2010005238.tif 000007